(57)【要約】
【課題】細いレンズ装着フレームのときにも、つる同士の間の寸法が容易に変更できるようにする。
【解決手段】左右一対のＬ字状連結片３、４の一端が、レンズ装着フレーム１の背面側左右両端上部に設けられた略水平方向の溝１６、１７に嵌合され、溝１６、１７に設けたビス穴１２、１３にレンズ装着フレーム１の表面側から挿通したビス２が、Ｌ字状連結片３、４の前記一端に設けた長穴１８、１９を貫通して突出し、左右反転すると長穴１８、１９に対する左右方向の位置が左右反転前のときとずれる部位にビス穴２３を有する長穴１８、１９の背面に位置するナット２２のビス穴２３に螺合してビス２により一体化するようにした眼鏡フレームであるので、ナット２２の取り付け方を変えることにより、左右一対のつる６、７同士の間隔を変更することができる。
【選択図】　　　図２
0003099078.tif 000002
【実用新案登録請求の範囲】
【請求項１】
　前面側に左右一対のレンズが装着されるレンズ装着フレームと、レンズ装着フレームの左右両端部分にビスを用いて一端が連結されるＬ字状部を備えた左右一対のつる部材とからなる眼鏡フレームにおいて、つる部材の一端がレンズ装着フレームの背面側左右両端上部に設けられた略水平方向の溝部に嵌合され、レンズ装着フレームの前記溝部に設けたビス穴にレンズ装着フレームの表面側から挿通したビスが、つる部材の前記一端に設けた長穴を貫通して突出し、左右反転すると前記長穴に対する左右方向の位置が左右反転前のときとずれる部位にビス穴を有する前記長穴の背面に位置するナット部材の前記ビス穴に螺合してビスによりレンズ装着フレームと左右一対のつる部材とが一体化されることを特徴とする眼鏡フレーム。
【請求項２】
　ナット部材の前面につる部材の前記一端に設けた長穴に嵌合する突出部が設けられたことを特徴とする請求項１記載の眼鏡フレーム。
【請求項３】
　ナット部材に複数個のビス穴が設けられたことを特徴とする請求項１または２記載の眼鏡フレーム。
【考案の詳細な説明】
【技術分野】
【０００１】
　本考案は、眼鏡のフレームに関するものである。
【背景技術】
【０００２】
　レンズが装着される眼鏡のフレームにおいては、左右一対のつる同士の間の寸法が使用者の顔に合っていないと眼鏡がずり落ちそうになったり、逆に顔が強く挟まれて不快になる。そのため、例えば図７に示したように、左右一対のレンズＬ１、Ｌ２を取り付けるためのレンズ装着フレーム１に複数個の穴４１を列設しておき（レンズ装着フレームの背面側にも前面側の穴４１に対応する穴が複数個設けられている。）、つる６、７の先端部に設けた凸部４２を適宜の穴４１に嵌合して螺子により固定することで、左右一対のつる６、７同士の間の寸法調節を容易にする技術の提案がある（例えば、特許文献１参照。）。
【０００３】
　また、例えば図８に示したように、レンズ装着フレーム１の左右の上縁に設けた筒状細管４３に、左右一対のつる６、７それぞれの端部からつる６、７の軸に対して内側略直角方向に屈曲しているＬ型屈曲部から延設されたスライディングバー４４を出没可能に挿入し、スライディングバー４４を筒状細管４３から引き出して左右一対のつる６、７同士を離間させたときには、筒状細管４３に内蔵したスプリングの弾性力によってスライディングバー４４を筒状細管４３内に引き込んで左右一対のつる６、７同士の間の寸法を狭めるようにした技術の提案もある（例えば、特許文献２参照。）。
【特許文献１】特開平１０−１８６２８６号公報
【特許文献２】特許平１１−３４４６８７号公報
【考案の開示】
【考案が解決しようとする課題】
【０００４】
　しかし、特許文献１に提案された眼鏡フレームにおいては、レンズ装着フレームにつるを固定する溝を設けるためには、レンズ装着フレームを太くする必要があり、スマートさ、エレガントさが重視される最近の眼鏡フレームにはマッチし難いと云った問題点があった。また、つるが固定されていない部位の溝は露出しており、デザイン上の制約が大きいと云った問題点もあった。
【０００５】
　また、特許文献２に提案された眼鏡フレームにおいては、使用期間が長くなるとスプリングの弾性力が低下して左右一対のつるで顔を挟む力が弱まる、部品点数が多いために製造コストの増加を招く、などと云った問題点があった。
【０００６】
　そのため、つる同士の間の寸法が容易に変更できる構成を提供する際に、スマートさ、エレガントさを強調することが可能な細いレンズ装着フレームにも適用可能であり、さらに耐久性があって製造コストの上昇を招くことがない構成を提供する必要があり、それが解決すべき課題となっていた。
【課題を解決するための手段】
【０００７】
　本考案は、つる部材の一端がレンズ装着フレームの背面側左右両端上部に設けられた略水平方向の溝部に嵌合され、レンズ装着フレームの前記溝部に設けたビス穴にレンズ装着フレームの表面側から挿通したビスが、つる部材の前記一端に設けた長穴を貫通して突出し、左右反転すると前記長穴に対する左右方向の位置が左右反転前のときとずれる部位にビス穴を有する前記長穴の背面に位置するナット部材の前記ビス穴に螺合してビスによりレンズ装着フレームと左右一対のつる部材とが一体化されることを主要な特徴とする。
【考案の効果】
【０００８】
　本考案の眼鏡フレームは、つる同士の間の寸法調節が簡単に行えるため、つる同士の間の寸法が異なった多くのフレームを準備しておく必要はなく、したがって在庫量を減らすことができると云う特長がある。また、デザイン上の制約を受け難いと云う特長もある。
【考案を実施するための最良の形態】
【０００９】
　つる同士の間の寸法が簡単に変更できるようにして在庫量の削減を図ると云う目的を、最小の部品点数で、また、デザイン上の制約を受け難い構成で実現した。
【実施例１】
【００１０】
　図１は、左右一対のレンズＬ１、Ｌ２が装着された状態の本考案の眼鏡フレーム１００の説明図であって、（Ａ）はレンズＬ１、Ｌ２の側から見たときの説明図、（Ｂ）は眼鏡フレーム１００の側から見たときの説明図である（本考案において左右とは眼鏡装着者の側から見たときの方向である）。
【００１１】
　図１から分かるように、眼鏡フレーム１００は、前面側に左右一対のレンズＬ１、Ｌ２が装着されるレンズ装着フレーム１と、レンズ装着フレーム１の左右両端部分にビス２を用いて一端が連結される左右一対のＬ字状連結片３、４と、Ｌ字状連結片３、４の他端に蝶番５を介して屈曲可能に前端部分が連結される左右一対のつる６、７とからなる。
【００１２】
　したがって、蝶番５により屈曲可能に連結されたＬ字状連結片３とつる６、Ｌ字状連結片４とつる７が、課題を解決するための手段で云うＬ字状部を備えた左右一対のつる部材であり、つる６、７は蝶番５の部位から装着フレーム１の側に折り畳むことができる。
【００１３】
　レンズ装着フレーム１の左右両端部はそれぞれ上下に分岐し、それぞれの終端部にはビス穴が開設されている。すなわち、レンズ装着フレーム１の左上方に延設された左上フレーム８の終端部にはビス穴１２が設けられ、右上方に延設された右上フレーム９の終端部にはビス穴１３が設けられ、左下方に延設された左下フレーム１０の終端部にはビス穴１４が設けられ、右下方に延設された右下フレーム１１の終端部にはビス穴１５が設けられている。レンズ装着フレーム１に対しＬ字状連結片３と４とは左右対称に連結されているので、レンズ装着フレーム１とＬ字状連結片３との連結を例に挙げて説明する。
【００１４】
　左上フレーム８のビス穴１２が開設されている部分の背面側には、Ｌ字状連結片３の一端が嵌合される溝１６が水平方向に設けられている。一方、その溝１６に嵌合されているＬ字状連結片３の一端には長穴１８が設けられている。また、Ｌ字状連結片３の長穴１８が設けられている部分の背面側は部分的に削除され、その削除部２０に左右反転しても嵌合可能に設けたナット２２が嵌め込まれている。内面に雌螺子が形成されたナット２２のビス穴２３は、ナット２２の左右方向の中心からずれた位置に開設されている。
【００１５】
　したがって、レンズ装着フレーム１の左上フレーム８の溝１６にＬ字状連結片３の長穴１８が設けられている端部を嵌め込み、ビス２の螺子部をレンズ装着フレーム１の表面側からビス穴１２と長穴１８とに挿通し、図２に示したようにビス穴２３を左側にして削除部２０に嵌入したナット２２のビス穴２３に螺合させると、Ｌ字状連結片３の他端に蝶番５により連結されたつる６はレンズ装着フレーム１に接近した状態で装着されるが、図３に示したようにビス穴２３を右側にして削除部２０に嵌入したナット２２のビス穴２３に螺合させると、つる６はレンズ装着フレーム１に離間した状態で装着される。
【００１６】
　眼鏡フレーム１００に左右一対のレンズＬ１、Ｌ２を装着する工程を説明すると、眼鏡購入者に対する検眼により左右一対のレンズＬ１、Ｌ２の所要離間寸法を決定し、左右一対のレンズＬ１、Ｌ２それぞれの所要部位にビス穴を２個づつ開設する。
【００１７】
　そして、左右一対のレンズＬ１、Ｌ２それぞれの背面側に、ビス２が抜き取られたレンズ装着フレーム１の前面側を当てがい、左側のレンズＬ１の上側のビス穴２４から左上フレーム８のビス穴１２、Ｌ字状連結片３の長穴１８を貫いて突出したビス２の螺子部をナット２２のビス穴２３に螺合させて締め付けると共に、レンズＬ１の下側のビス穴２６、左下フレーム１０のビス穴１４を貫いて突出した他のビス２の螺子部をナット２８に螺合させて締め付けることで、レンズＬ１がレンズ装着フレーム１の左側に装着されると共に、左側のつる６もレンズ装着フレーム１に装着される。右側のレンズＬ２、つる７も、左側のレンズＬ１、つる６と同様にして、レンズ装着フレーム１の右側に装着される。
【００１８】
　なお、ナット２２は図６に示したように、前面側にＬ字状連結片３の長穴１８、Ｌ字状連結片４の長穴１９（図示せず）に嵌合可能な突出部２２Ａを設け、その突出部２２Ａの部分にビス穴２３を設けることも可能である。
【００１９】
　ナット２２を図６に示した構造に構成したときには、ナット２２を削除部２０、２１に嵌め込んだときに（削除部２１は図示せず）、突出部２２Ａが長穴１８、１９に嵌め込まれて、ビス２によりレンズ装着フレーム１、Ｌ字状連結片３、４、ナット２２を一体化したときに、ナット２２の移動（回転）が阻止されてフレーム全体の部材強度が上がると云った利点がある。
【００２０】
　また、左右反転してＬ字状連結片３の削除部２０、Ｌ字状連結片４の削除部２１に嵌め込むことが可能なナット２２には、ビス穴２３を複数個設けることも可能である。例えば、ナット２２の図６（Ｂ）に示した寸法部位に２個のビス穴２３を設けることにより、つる６、７の装着幅を、２ｍｍ間隔で４通りの寸法選択が可能になる。
【００２１】
　なお、ナット２２は、Ｌ字状連結片３の削除部２０、Ｌ字状連結片４の削除部２１の部分に挿脱可能に嵌入させるための部材と、その背面側に設けてビス２の螺子部が螺合する螺子部材（市販の廉価なナットが使用できる）とに分離して設けることも可能である。
【００２２】
　また、ナット２２に設けるビス穴２３は、背面側を開口させずに設けることも可能である。
【産業上の利用可能性】
【００２３】
　本考案は、つる６、７がレンズ装着フレーム１の側に屈曲できないタイプ、すなわち蝶番５を備えないタイプの眼鏡フレームにも適用することができる。
【図面の簡単な説明】
【００２４】
【図１】眼鏡フレームの説明図であって、（Ａ）は装着されたレンズ側から見たときの説明図、（Ｂ）は眼鏡フレーム側から見たときの説明図である。
【図２】つる同士を接近させてレンズを装着する工程を示す説明図であって、（Ａ）はレンズ装着前を示す説明図、（Ｂ）はレンズ装着後を示す説明図である。
【図３】つる同士を離間させてレンズを装着する工程を示す説明図であって、（Ａ）はレンズ装着前を示す説明図、（Ｂ）はレンズ装着後を示す説明図である。
【図４】左右一対のレンズとレンズ装着フレームとの位置関係を示す説明図であって、（Ａ）は背面側から見た説明図、（Ｂ）は上方から見た説明図である。
【図５】Ｌ字状連結片の要部を示す説明図であって、（Ａ）は上方から見た説明図、（Ｂ）は正面から見た説明図である。
【図６】ナットの他の形状例を示す説明図であって、（Ａ）は斜視説明図、（Ｂ）は正面から見た説明図、（Ｃ）は上方から見た説明図、（Ｄ）は側方から見た説明図である。
【図７】従来技術を示す説明図である。
【図８】他の従来技術を示す説明図である。
【符号の説明】
【００２５】
　１　レンズ装着フレーム
　２　ビス
　３、４　Ｌ字状連結片
　５　蝶番
　６、７　つる
　８　左上フレーム
　９　右上フレーム
　１０　左下フレーム
　１１　右下フレーム
　１２、１３、１４、１５　ビス穴
　１６、１７　溝
　１８、１９　長穴
　２０、２１　削除部
　２２　ナット
　２２Ａ　突出部
　２３〜２７　ビス穴
　２８　ナット
　４１　穴
　４２　凸部
　４３　筒状細管
　４４　スライディングバー
　１００　眼鏡フレーム
　Ｌ１、Ｌ２　レンズ
【図１】
0003099078.tif 000003
【図２】
0003099078.tif 000004
【図３】
0003099078.tif 000005
【図４】
0003099078.tif 000006
【図５】
0003099078.tif 000007
【図６】
0003099078.tif 000008
【図７】
0003099078.tif 000009
【図８】
0003099078.tif 000010
【手続補正書】
【提出日】平成15年9月10日(2003.9.10)
【手続補正１】
【補正対象書類名】実用新案登録請求の範囲
【補正対象項目名】請求項１
【補正方法】変更
【補正の内容】
【請求項１】
　左右一対のレンズが装着されるレンズ装着フレームと、レンズ装着フレームの左右両端部分にビスを用いて一端が連結されるＬ字状部を備えた左右一対のつる部材とからなる眼鏡フレームにおいて、つる部材の一端がレンズ装着フレームの背面側左右両端上部に設けられた略水平方向の溝部に嵌合され、レンズ装着フレームの前記溝部に設けたビス穴にレンズ装着フレームの表面側から挿通したビスが、つる部材の前記一端に設けた長穴を貫通して突出し、左右反転すると前記長穴に対する左右方向の位置が左右反転前のときとずれる部位にビス穴を有する前記長穴の背面に位置するナット部材の前記ビス穴に螺合してビスによりレンズ装着フレームと左右一対のつる部材とが一体化されることを特徴とする眼鏡フレーム。